(57)【特許請求の範囲】
【請求項１】
被切断物（Ｗ）を動かないように載置するベッド（１）と、このベッド（１）の先端部（１ａ）に基端部（６ａ）が回動可能に支持されたフレーム（６）とからなり、このフレーム（６）にはエンドレスソーブレードや丸鋸刃などの切断刃が駆動可能に設けられ、フレーム（６）をベッド（１）側に倒して前記切断刃をベッド（１）に載置した被切断物（Ｗ）に押し当てて被切断物（Ｗ）を切断するようにした携帯用切断機において、
チェーン（１１）の基端（１１ａ）をベッド（１）あるいはフレーム（６）に取付け、チェーン（１１）の先端（１１ｂ）部を引っ掛けるフック（１４）をフレームあるいはベッドに回動・固定可能に設け、前記フック（１４）にチェーン（１１）の先端部を引っ掛けて、チェーン（１１）が引っ張られるようにフック（１４）を回動させたときに、このフック（１４）が乗り越えて元の位置に戻らないように当接する突起（１５）を設けて構成したことを特徴とする携帯用切断機。
【発明の詳細な説明】
【０００１】
【発明の属する技術分野】
この発明は、被切断物（ワーク）を、固定バイスと可動バイスとで挟んで、ベッド上に固定し、ベッドの先端部に基端部が回動可能に支持されたフレームにエンドレスソーブレードまたは丸鋸刃などの切断刃を駆動可能に設け、前記フレームをベッド側に倒してベッドに固定した被切断物に前記切断刃を押し当てて被切断物の切断を行うようにした携帯用切断機の改良に関するものである。
【０００２】
【従来の技術】
従来の携帯用切断機である携帯用バンドソーを、図面に基づいて、以下、詳細に説明する。
図２はこの携帯用バンドソーのフレームを持ち上げた場合の斜視図であり、この図において、１はベッド、２はこのベッド上に設けた被切断物Ｗの載置台、３は載置台上に設けた被切断物Ｗを固定する固定バイス、４は同じく可動バイスで、この可動バイス４には、ハンドル５ａの操作で進退する螺子棒５の先端部が回転自在に取付けられている。
【０００３】
６はこのベッド１の先端部１ａにヒンジ部７を介して基端部６ａが回動自在に支持されたフレームで、このフレーム６にはこれに設けたモーター８を駆動源とする駆動機構（図示しない）によって駆動されるエンドレスソーブレード９が所定範囲を露出して配設されている。
【０００４】
１０，１０はフレーム６の基端部６ａおよび先端部６ｂに設けたハンドルで、被切断物Ｗにフレーム６のエンドレスソーブレード９を押し当てて切断するため、フレーム６を回動させるときには、フレーム６の先端部６ｂに設けたハンドル１０を持って行い、この携帯用バンドソーを持ち運ぶときには、フレーム６をベッド１に倒して固定し、フレーム６の基端部６ａと先端部６ｂとに設けたハンドル１０，１０を持って行う。
【０００５】
１１はベッド１の側面１ｂに一端を取付けたチェーン、１２はフレーム６の側面６ｃに取付けた固定フックで、携帯用バンドソーを持ち運ぶときにフレーム６をベッド１に倒して固定する際には、前記固定フック１２にチェーン１１の先端部を引っ掛けて行う。１３はフレーム６をベッド１に倒したときにフレーム６が当接するようにベッド１の載置台２に設けた受け部である。
【０００６】
前記従来例の携帯用バンドソーを持ち運ぶときは、図３に示すように、フレーム６をベッド１側に倒して、ベッド１の側面１ｂに取付けたチェーン１１の先端１１ｂを、フレーム６の側面６ｃに設けた固定フック１２に引っ掛けたり、また、図示しないが、ベッド１の先端部１ａとフレーム６の基端部６ａとを回動可能に連結したヒンジ部７の直近にロックピンを設けて、フレーム６が回動しないように固定している。
【０００７】
【発明が解決しようとする課題】
前記従来例において、携帯用バンドソーを持ち運ぶときにフレーム６をベッド１に倒して固定するために、前記チェーン１１を固定フック１２に引っ掛けるためには、チェーン１１にゆとりが必要であるため、このチェーン１１を固定フック１２に引っ掛けた場合に、チェーン１１に弛みが発生していた。
【０００８】
フレーム６をベッド１に倒してチェーン１１によって固定した場合、このチェーン１１に弛みが発生すると、携帯用バンドソーを運搬中にヒンジ部７を基点としてフレーム６が細かく回動し（ガタつく）、その結果、ヒンジ部７が損傷して、フレーム６をベッド１に回動させて被切断物Ｗを切断する際に、精密な切断ができなくなったり、また、被切断物Ｗの切断を終えたときに、フレーム６がベッド１に当たる位置に設けた受け部１３にフレーム６がガタついて当たるため、この受け部１３が磨耗する不具合が発生していた。
【０００９】
また、ベッド１の先端部１ａとフレーム６の基端部６ａとを回動可能に連結したヒンジ部７の直近に設けたロックピンによって、ベッド１に倒したフレーム６が回動しないように固定した場合には、前記のようにチェーンで固定する場合に比べてガタつきは少ないため、最近は前記ロックピンによる固定手段を多く採用するようになったが、それでもガタつきを完全に無くすことはできず、そのガタつきは長期にわたって徐々に大きくなる、という問題があった。また、前記ロックピンによる固定手段の場合には、ロックピンをヒンジ部の直近に設けたため、ヒンジ部を強固な材料で作製する必要があり、必然的に携帯用バンドソー全体の重量が増加する傾向にあった。
【００１０】
この発明は、携帯用切断機を持ち運ぶとき、フレームをベッド側に倒して、ベッドとフレームとをチェーンで連結して固定したときに、チェーンの引っ張りにゆとり（ガタつき）がないように固定するようにした携帯用切断機を提供することを目的とするものである。
【００１１】
【課題を解決するための手段】
この発明は、前記目的を達成するために、被切断物Ｗを動かないように載置するベッド１と、このベッド１の先端部１ａに基端部６ａが回動可能に支持されたフレーム６とからなり、このフレーム６にはエンドレスソーブレードや丸鋸刃などの切断刃が駆動可能に設けられ、フレーム６をベッド１側に倒して前記切断刃をベッド１に載置した被切断物Ｗに押し当てて被切断物Ｗを切断するようにした携帯用切断機において、チェーン１１の基端１１ａをベッド１あるいはフレーム６に取付け、チェーン１１の先端部を引っ掛けるフック１４をフレームあるいはベッドに回動・固定可能に設け、前記フック１４にチェーン１１の先端部を引っ掛けて、チェーン１１が引っ張られるようにフック１４を回動させたときに、このフック１４が乗り越えて元の位置に戻らないように当接する突起１５を設けて構成したことを特徴とする携帯用切断機としたものである。
【００１２】
【発明の実施の形態】
以下、この発明に係る携帯用切断機の実施の形態を図面に基づいて詳細に説明する。
図１はこの発明の携帯用切断機の要部を示すものであり、前記従来例と同一部分には同一符号を付け、その詳細な説明は省略する。
【００１３】
この発明は、チェーン１１の基端１１ａをベッド１の側面１ｂに螺着した螺子（例えば六角頭付螺子）１７に取り外れず移動・固定可能に取付け、チェーン１１の先端１１ｂを引っ掛けるフック１４をフレーム６の側面６ｃにノブ付き螺子１８を介して回動・固定可能に設け、前記フック１４にチェーン１１の先端１１ｂを引っ掛けて、チェーン１１が引っ張られるようにフック１４を回動させたときに、このフック１４が乗り越えて元の位置に戻らないように当接する突起１５をフレーム６の側面６ｃに設け、さらに、突起１５の付け根部に、突起１５の径より大きい径の凸部１６を形成したものである。
【００１４】
この発明は、前記のように構成されているので、前記フック１４を回動・固定可能に支持しているノブ付き螺子１８を緩めると、フック１４は図１の（ａ）において二点鎖線で示すように垂れ下がる。そして、この垂れ下がったフック１４に基端１１ａをベッド１の側面１ｂに螺着した螺子１７に取付けたチェーン１１の先端１１ｂを引っ掛け、フック１４を水平状に回動させると、このフック１４は前記チェーン１１を引っ張ってフレーム６の側面６ｃに設けた突起１５を乗り越える。そして、ノブ付き螺子１８を締めつけると、図１の（ｂ）に示すように、フック１４はフレーム６の側面６ｃ側に移動して、このフック１４は突起１５の付け根部の径の大きい凸部１６に乗り上がって当接するので、チェーン１１にテンションがかかって弛まないように緊張され、ベッド１側に倒したフレーム６をその状態にガタつかないように固定することができる。
【００１５】
長期間使用している間にチェーン１１が伸びてきた場合には、チェーン１１の先端１１ｂをフック１４に引っ掛け、このフック１４を水平に回動させて突起１５を乗り越えさせたときに、チェーン１１が弛んでガタつきが発生することになるが、このような場合には、ベッド１にチェーン１１の基端１１ａを締付けている螺子１７を緩め、チェーン１１の基端１１ａを下方に引っ張ってチェーン１１を緊張させて、チェーン１１の基端１１ａを締付け直しておけば、チェーン１１を緊張させた状態でベッド１にフレーム６をガタつかないように固定することができる。
【００１６】
前記チェーン１１によるベッド１とフレーム６との連結を外すときには、フック１４を回動・固定可能に支持したノブ付き螺子１８を緩め、フック１４が前記と逆に突起１５を乗り越えると、フック１４は図１において二点鎖線で示すように垂れ下がるので、このフック１４に引っ掛けられていた前記チェーン１１を容易に外すことができる。
【００１７】
なお、前記実施の形態においては、チェーン１１の基端１１ａをベッド１の側面１ｂに取付け、フック１４をフレーム６の側面６ｃに取付けた例を説明したが、これとは逆に、チェーン１１の基端１１ａをフレーム６の側面６ｃに取付け、フック１４をベッド１の側面１ｂに取付けた場合でも、前記同様の作用、効果を得ることができるものである。
【００１８】
【発明の効果】
この発明の携帯用切断機は、以上説明したように、被切断物を動かないように載置するベッドと、このベッドの先端部に基端部が回動可能に支持されたフレームとからなり、このフレームにはエンドレスソーブレードや丸鋸刃などの切断刃が駆動可能に設けられ、フレームをベッド側に倒して前記切断刃をベッドに載置した被切断物に押し当てて被切断物を切断するようにした携帯用切断機において、チェーンの一端をベッドあるいはフレームに取付け、チェーンの先端部を引っ掛けるフックをフレームあるいはベッドに回動・固定可能に設け、前記フックにチェーンの先端部を引っ掛けて、チェーンが引っ張られるようにフックを回動させたときに、このフックが乗り越えて元の位置に戻らないように当接する突起を設けて構成したので、前記フックにチェーンの先端部を引っ掛け、フックを水平状に回動させると、このフックは、前記チェーンを弛まないように引っ張って前記突起を乗り越えて、元の位置に戻らないように前記突起に当接するので、ベッド側に倒したフレームをその状態でガタつかないように固定することができ、携帯用切断機を運搬するときに、フレームがベッドの上でガタつかなくなり、その結果、ベッドの先端部とフレームの基端部を回動可能に支持したヒンジ部の損傷もなくなり、被切断物の切断精度に狂いを生ずることがなくなる。
【００１９】
【図面の簡単な説明】
【図１】  この発明の携帯用切断機の要部を示す図である。
【図２】  従来の携帯用バンドソーのフレームを持ち上げた場合の斜視図である。
【図３】  従来の携帯用バンドソーのベッドとフレームをチェーンで連結した図である。
【符号の説明】
１       ベッド
１ａ     先端部
１ｂ     側面
２       載置台
３       固定バイス
４       可動バイス
５       螺子棒
５ａ     ハンドル
６       フレーム
６ａ     基端部
６ｂ     先端部
６ｃ     側面
７       ヒンジ部
８       モーター
９       エンドレスソーブレード
１０     ハンドル
１１     チェーン
１１ａ   基端
１１ｂ   先端
１２     固定フック
１３     受け部
１４     フック
１５     突起
１６     凸部
１７     螺子
１８     ノブ付き螺子
【図１】
0003798863.tif 000002
【図２】
0003798863.tif 000003
【図３】
0003798863.tif 000004